(57)【要約】【課題】コーターによって形成された帯状のパール発色部分が蛇行するために、部分的に形成される隠蔽部分との相対位置が変化し、金券類，証明書類などに使用する技術として相応しくない。【課題を解決するための手段】前記課題を解決するために、基紙の同一面に、少なくとも、第１の印刷領域と、第１の印刷領域を内包し図柄を含むパターンで構成された第２の印刷領域が形成され、第１の印刷領域が、観察する角度によって異なる色に変化するインキによって印刷され、第２の印刷領域が、第１の印刷領域を隠蔽するインキによって印刷された印刷物を提供する。【解決手段】【選択図】  図１
2005262771.tif 000002
【特許請求の範囲】
【請求項１】
基紙の同一面に、少なくとも、第１の印刷領域と、第１の印刷領域を内包し図柄を含むパターンで構成された第２の印刷領域が形成され、
第１の印刷領域が、観察する角度によって異なる色に変化するインキによって印刷され、第２の印刷領域が、第１の印刷領域を隠蔽するインキによって印刷されたことを特徴とする印刷物。
【請求項２】
請求項１に記載の印刷物において、第１の印刷領域が、パールインキで印刷され、第２の印刷領域が白色顔料を主体とするインキで印刷されたことを特徴とする印刷物。
【請求項３】
請求項１〜２に記載の印刷物において、第２の印刷領域は、基紙の色と拡散反射色が同一となる色で印刷されたことを特徴とする印刷物。
【請求項４】
請求項１〜３何れか１項に記載の印刷物の作製方法であって、
基紙の表面に第１の印刷領域を形成し、第１の印刷領域の上から基紙の色と拡散反射色が同一となる印刷色によって第２の印刷領域を形成し、第２の印刷領域の内側に第１の印刷領域で表示された図柄を形成したことを特徴とする印刷物の作製方法。
【発明の詳細な説明】
【技術分野】
【０００１】
本発明は、商品券，有価証券，証明書，重要書類などの偽造を防止すべき印刷物及び意匠性が要求される一般印刷物及びその作製方法に関するものである。
【背景技術】
【０００２】
近年、金券や、各種証明書等を偽造から護るために、さまざまな技術が施されている。
その中で、材料費や、印刷コストが比較的安価な、パールインキを使用する技術が使用され始めている。
パールインキを使用する偽造防止技術は、インキ中に含まれる光を多重反射する顔料の反射光が角度によって異なる色に見える特徴を利用している。
パールインキによる印刷物の作製にあたっては、コーティング，スクリーン印刷，凹版印刷，オフセット印刷，凸版印刷等の方法で印刷される。
【０００３】
しかし、前述のコーティング，スクリーン印刷，凹版印刷等の方法による印刷では、下記のような問題がある。
例えば、コーティングでは、パターン状の印刷ができない。
また、スクリーン印刷による微細なパターン印刷は、版の耐刷力が低く、大量の製造には適しない。
また、凹版印刷は、版作製のためのコストがかかる上に、印刷されたインキや印刷物の乾燥のためにスピードが上がらず、そのために印刷単価が高くなる。
また、オフセット印刷，凸版印刷による方法は、通常の印刷条件と比較してインキの盛りを多目に印刷することになるために、細密な絵柄の印刷ができなくなる。
そこで、安価に製造できて、比較的小規模の生産にも適したパールインキを使用した印刷物とその作製技術が開示されている（例えば、特許文献１参照）。
【０００４】
【特許文献１】特開２０００−６５６４号公報
【発明の開示】
【発明が解決しようとする課題】
【０００５】
開示されている技術では、パール顔料を含む塗料をコーティングすることによって、コストを下げ、ストライプ状にコーティングされたパール塗料形成部分を部分的に隠蔽することで意匠性を付与している。
しかし、ストライプ状に形成されたパール発色部分が蛇行するために、部分的に形成される隠蔽部分との相対位置が変化し、金券類，証明書類などに使用する技術として相応しくない。
【課題を解決するための手段】
【０００６】
前記課題を解決するために、本発明の印刷物の請求項１に記載の発明は、基紙の同一面に、少なくとも、第１の印刷領域と、第１の印刷領域を内包し図柄を含むパターンで構成された第２の印刷領域が形成され、第１の印刷領域が、観察する角度によって異なる色に変化するインキによって印刷され、第２の印刷領域が、第１の印刷領域を隠蔽するインキによって印刷されたことを特徴とするものである。
【０００７】
また、請求項２に記載の発明は、請求項１に記載の発明において、第１の印刷領域が、パールインキで印刷され、第２の印刷領域が白色顔料を主体とするインキで印刷されたことを特徴とするものである。
【０００８】
また、請求項３に記載の発明は、請求項１〜２に記載の発明において、第２の印刷領域は、基紙の色と拡散反射色が同一となる色で印刷されたことを特徴とするものである。
【０００９】
また、請求項４に記載の発明の印刷物の作製方法は、請求項１〜３何れか１項に記載の印刷物の作製方法であって、基紙の表面に第１の印刷領域を形成し、第１の印刷領域の上から基紙の色と拡散反射色が同一となる印刷色によって第２の印刷領域を形成し、第２の印刷領域の内側に第１の印刷領域で表示された図柄を形成したことを特徴とするものである。
【発明の効果】
【００１０】
１）請求項１に記載の発明のように、基紙の同一面に、少なくとも、第１の印刷領域と、第１の印刷領域を内包し図柄を含むパターンで構成された第２の印刷領域が形成され、第１の印刷領域が、観察する角度によって異なる色に変化するインキによって印刷され、第２の印刷領域が、第１の印刷領域を隠蔽するインキによって印刷されたことによって、意匠性に優れ、カラーコピーなどで複写された場合に偽造と判定し易い印刷物を作製することができる。
２）また、請求項２に記載のように、請求項１に記載の発明において、第１の印刷領域が、パールインキで印刷され、第２の印刷領域が白色顔料を主体とするインキで印刷されたことによって、パールインキ印刷部が単純なパターンであっても、プロセスインキによってパールインキ印刷部がパターン化されるために意匠性に優れ、安価な印刷物を作製することができる。
３）また、請求項３に記載のように、請求項１〜２に記載の印刷物において、第２の印刷領域は、基紙の色と拡散反射色が同一となる色で印刷されたことによって、第１の印刷領域を実質的にパターン化することができる。
４）また、請求項４に記載のように、請求項１〜３何れか１項に記載の印刷物の作製方法であって、基紙の表面に第１の印刷領域を形成し、第１の印刷領域の上から基紙の色と拡散反射色が同一となる印刷色によって第２の印刷領域を形成し、第２の印刷領域の内側に第１の印刷領域で表示された図柄を形成したことによって、パールインキによる細密な図柄を効果的に形成することができる。
【発明を実施するための最良の形態】
【００１１】
以下、図面を参照して、本発明の一実施の形態である印刷物及び印刷物の作製方法について説明する。
図１は、本発明の印刷物の一例について説明するための図，図２は、第1の印刷領域と、第２の印刷領域について説明するための図，図３は、図２のＡ−Ａ線断面図，図４は、第1の印刷領域をコーティングにより形成した場合の従来技術の問題点について説明するための図，図５は、図４に対して本発明が適用された場合について説明するための図，である。
【００１２】
図１を参照して、本発明の印刷物の一例について説明する。
図１に示すように、商品券１に第１の印刷領域１１が点線で示すようなパターンで印刷されている。
また、第１の印刷領域（以下第１のパターンという。）を覆うように第２の印刷領域（以下第２のパターンという。）１２が印刷されている。第１のパターンの内側に形成されている第２のパターン１２の内側部分である「リボン」状のパターンは、判り易いように実線で表示されているが、実際は無色の境界を形成している。
第２のパターンの外側の境界は表示していないが、第１のパターンの外側境界を包含し、商品券１の基紙の表面と同一な拡散反射色を呈して形成されている。
商品券には、例えば、「商品券」，「１００，０００円券」，その他表示していないが、背景パターンの一部である「印刷地紋」等の、第３の印刷領域（以下第３のパターンという。）１３が印刷される。
前記地紋などの第３のパターンが第２のパターンの周縁に被さるように印刷された場合、基紙と第２のパターンの境界がよりわかりにくくなり、より効果的である。
【００１３】
図２を参照して、第1のパターンと第２のパターンについて更に詳しく説明する。
図１の商品券の、右上の第２のパターンを見えるように表示すると図２のようになる。
まず、基紙（表示せず）の表面にａ図に示すような、第１のパターン１１を印刷する。印刷された第１のパターンを覆い隠すようにｂ図に示すような第２のパターン１２を印刷する。
第２のパターン１２は、ｂ図に示すように、外側の境界１２−１と図柄を形成する内側のパターン１２−２で構成されている。内側のパターン１２−２の内側には第２のパターンを構成する印刷インキは形成されず、第１のパターン１１の印刷インキが表出するように形成される。
【００１４】
図３を参照して図２のＡ−Ａ線断面について説明する。
商品券１の基紙１０、例えば、上質紙，コート紙，和紙などの片面に、まず、第１のパターン１１が印刷され、第１のパターンの印刷インキが形成される。次に、第１のパターン１１を覆い隠すように第２のパターン１２が印刷され、第２のパターンの印刷インキが形成される。
図２で説明した第２のパターン１２の内側のパターン１２−２の部分は、印刷インキが形成されず、第１のパターン１１の印刷インキが表出している。
【００１５】
ここで、第１のパターンを形成するインキの一例として、パールインキについて説明する。
パールインキは、真珠光沢を有する太刀魚や、淡水魚の鱗を生成して得られたグアニンの結晶や、天然雲母（マイカ）と酸化チタンから作られるパール顔料と呼ばれる無機顔料を透明なメジウムで溶いて印刷適性を付与したインキである。
パール顔料には、シルバータイプと、虹彩色タイプ、着色タイプがある。
シルバータイプは銀白色パールで、酸化チタンの被覆率や粒度の違いによって再現する。また、虹彩色タイプは光の干渉によって虹彩色に見えるもので、酸化チタン層の膜厚によって再現する。また、着色タイプは酸化チタンと、酸化鉄をコーティングしたものである。
また、メジウムは、ワニス単体、または、白色顔料のみを分散した無彩色のインキで、着色顔料が入っていないために印刷された部分は透明感を伴う。
メジウムに添加物を加え、光沢を付与させたり、マット状に仕上げることもできる。
【００１６】
次に、第２のパターンを形成するインキの一例として、プロセスインキについて説明する。
減色混合の原色、即ち、イエロー（黄）、マゼンタ（紅）、シアン（藍）の３色に、ブラック（墨）を加えた４色を１セットとし、この４色のインキを重ね合わせれば全ての色が再現できるインキのことをプロセスインキという。
色の濃淡は、網点を大きくしたり、小さくしたりして再現する。また、これらインキを所定の配合比で混合すれば１色で前記重ね刷りにより再現した色が得られる。
第２のパターンは、第１のパターンのエッジ（外側周縁）を隠蔽する必要があるために屈折率が高いインキによって印刷される。インキの隠蔽性を高めるために屈折率が高い、例えば、シリカ，炭酸カルシウム，酸化チタン等、白色の無機酸化物を微粒子にしてメジウムと混ぜ合わせて作製する。
【００１７】
まず図３において、第１のパターン１１の領域をパールインキを使用して、ロールコータ−などのコーティング方式，グラビア印刷方式，凹版印刷方式，シルクスクリーン印刷方式，オフセット印刷方式，凸版印刷方式の何れかの方式を選択して印刷する。
オフセット印刷方式，凸版印刷方式で印刷する場合は、パール発色効果を高めるために、インキ厚を厚めに印刷する。
次に、第２のパターン１２の領域を隠蔽性が高いインキを使用して、凸版印刷方式、または、オフセット印刷方式で印刷する。
第２のパターン１２と、基紙１０の境界部分に色差が生じないようにインキの色が調整されるが、印刷に当っては、ＣＩＥＬａｂ表色系（国際照明委員会によって認定された表色系）でいうΔＥ（デルタＥ）が２以下に収まるように印刷する。
ΔＥは、ＣＩＥＬａｂ表色系で２つの異なった色を管理する基準で、ΔＥ２の差とは、通常の人の視覚では前記境界を判別することは難しい。
【００１８】
図４，図５を参照して、第１の印刷領域をコーティングにより形成した場合の従来技術の問題点と本発明が適用された場合の改良点について説明する。
図４，図５共に、商品券１には商品券の短辺側、即ち幅方向に対し平行に第１のパターンがコーティングされている。
また、前記第1のパターンの一部、または、全部を覆うように第２のパターンが印刷によって形成されている。
第２のパターンは、外側境界線と、内側に形成された図柄の境界線で構成されている。
図４において、第１のパターン１１０が商品券１の右側に所定の幅１１００で形成されている。また、第２のパターンの内側に形成された図柄１２０−２が商品券１の右端からＸの位置に形成されている。
図４に示す第１のパターンの幅１１００は、ロールコータ−によってコーティングされるために、商品券１の右端からＸ１の範囲で変動する。
一方、第２のパターンの幅１２００（１２０−１及び１２０−２）は定位置に印刷され、前記第１のパターンの幅１１００が右に蛇行すると、第１のパターンと第２のパターンが最大Ｘ１ずれて、見当ずれ領域１００，１１０−１が発生する。
【００１９】
図５に示すように、第１のパターンが左右にそれぞれＸ１ずれても良いように、第２のパターンの幅を図４の場合より２Ｘ１＋α広げ、第２の内側パターン１２１−２の位置が商品券の右端からＸとなるように位置決めし、第２のパターンを印刷する。
その結果変動する第１のパターンの幅１１１０は、第２のパターンの幅１２１０の範囲内に収まり、図４に示す「見当ずれ領域」１００，１１０−１は、見た目上では発生しない。
【００２０】
（実施例）
図２を参照して本発明の印刷物と、印刷物の作成方法の実施例について説明する。
まず、重さ６４ｇ／ｍ2の上質紙の片面表面に、第１のパターンとして図２のａ図に示すパターンをパールインキで印刷した。
印刷方式は、シルクスクリーン方式とし、１００線／インチの版を使用した。
印刷に使用したパールインキのパール顔料は、商品名イリオジン（メルク社販売）を使用し、シルクスクリーン用のメジウムで調合した。
上記、十分乾燥させた第１のパターンの上に、図２のｂ図に示すような第２のパターンを特別に隠蔽性を高めたオフセットインキで印刷した。
隠蔽性を高めたオフセットインキは、前記白色の無機酸化物を主体として作製したインキをベースにして基紙である上質紙の表面の色に合わせ、近似の色で調合した。
第２のパターンの印刷に当っては、ＣＩＥＬａｂ表色系でいうΔＥ（デルタＥ）が２に収まるように印刷した。
更に、第２のパターン１２−２を、プロセスインキの調合によって作製した桜色を使用し、第２のパターンの上からオフセット方式で印刷した。
【００２１】
インキ乾燥後の印刷物は、基紙に印刷された第１のパターンの外側境界（周縁）が第２のパターンの印刷インキによって隠蔽されて判別されず、また、基紙と第２のパターンの境界は、判別できないレベルであった。
基紙を所定の角度に傾けることによって第２のパターンの内側境界線に囲まれた図柄パターンが、その部分だけパールインキで印刷されたパターンのように輝いて見え、角度を元に戻すと第２のパターンの内側境界線だけが印刷された印刷物として視認された。
【産業上の利用可能性】
【００２２】
本発明は、商品券，有価証券，証明書，重要書類などの偽造を防止すべき印刷物及び意匠正が要求される一般印刷物に利用できる。
【図面の簡単な説明】
【００２３】
【図１】本発明の印刷物の一例について説明するための図である。
【図２】第1の印刷領域と、第２の印刷領域について説明するための図である。
【図３】図２のＡ−Ａ線断面図である。
【図４】第1の印刷領域をコーティングにより形成した場合の従来技術の問題点について説明するための図である。
【図５】図４に対して本発明が適用された場合について説明するための図である。
【符号の説明】
【００２４】
１      商品券
１０    基材
１１，１１０，１１１  第１のパターン
１２，１２０，１２１  第２のパターン
１２−１，１２０−１  第２のパターンの外側境界
１２−２，１２０−２  第２のパターンの内側境界（図柄パターン）
１３    第３のパターン
１４    第２のパターンの一部である図柄の正規な印刷位置
１００，１１０−１  見当ズレ領域（第１のパターンと第2のパターンのずれによって生ずる不良
パターン）
１１００，１１１０  第１のパターンの幅
１２００，１２１０  第２のパターンの幅
【図１】
2005262771.tif 000003
【図２】
2005262771.tif 000004
【図３】
2005262771.tif 000005
【図４】
2005262771.tif 000006
【図５】
2005262771.tif 000007